(57)【要約】【課題】循環パイプの戻り管での冷却や浴槽内でのショートサーキットにより、浴槽湯温が沸上設定温度にならないのを防止する。【解決手段】浴槽１の沸き上げ温度を設定する沸上温度設定手段と、浴槽１に設けられて配管が接続される風呂アダプター５と、前記風呂アダプター内に前記浴槽１内の湯温を検出する湯温センサとを備え、前記湯温センサで検出された温度の信号を風呂アダプター内に設けられた無線発信機から給湯機の受信機で受信し、給湯機内の制御装置で沸上温度設定手段で設定された温度とに応じて前記浴槽の湯温を制御する。【選択図】図１
2006300471.tif 000002
【特許請求の範囲】
【請求項１】
浴槽の沸き上げ温度を設定する沸上温度設定手段と、浴槽に設けられて配管が接続される風呂アダプターと、前記風呂アダプター内に前記浴槽内の湯温を検出する湯温センサとを備え、前記湯温センサで検出された温度と前記沸上温度設定手段で設定された温度とに応じて前記浴槽の湯温を制御する給湯機。
【請求項２】
湯温センサで検出された温度が沸上温度設定手段で設定された温度より高いとき、浴槽への湯温を上げないように制御する請求項１記載の給湯機。
【請求項３】
湯温センサで検出された温度が沸上温度設定手段で設定された温度より低いとき、浴槽への湯温を高めるように制御する請求項１記載の給湯機。
【請求項４】
湯温センサの信号を送信する無線発信機を風呂アダプター内に備える請求項１から３のいずれか１項に記載の給湯機。
【請求項５】
風呂アダプターは浴槽内側方向から着脱可能な構成とした請求項１から４のいずれか１項に記載の給湯機。
【発明の詳細な説明】
【技術分野】
【０００１】
本発明は、給湯機に関するものである。
【背景技術】
【０００２】
従来、この種の給湯機は、図３に示すように、浴槽３１と浴槽３１に貯えられた湯水を加熱する給湯機３２があり、給湯機３２と浴槽３１は給湯及び循環を行う循環パイプ３３により接続されている。そして、浴槽３１に設置された循環アダプター３４の一部には水位センサ３５が設けられている。水位センサ３５は、浴槽３１内に貯えられる湯水の水面高さを水圧により検知するもので、検知された水位は接続コード３６または無線により給湯機３２に伝えられる。また浴槽３１内の湯温を検知する湯温センサーは給湯機３２の内部に設けられているのが一般的であった（例えば、特許文献１参照）。
【特許文献１】特開平３−４１３２２号公報
【発明の開示】
【発明が解決しようとする課題】
【０００３】
しかしながら、上記従来の構成では、湯温センサーが給湯機の内部にあるので、循環パイプの戻り管で浴槽内の湯温が冷却されて浴槽内の湯温が正確に湯温センサーに伝わらず、設定温度より浴槽内の湯温が上がりすぎることがあった。また循環アダプターの内部でショートサーキットして、循環パイプの行き管の高温の湯がすぐに循環パイプの戻り管に流れ、浴槽内の湯温が上がっていないのに、上がったと湯温サーミスタが検知して浴槽へのお湯の供給を停止し、よって浴槽内の湯温がいつまでも上がらないという課題があった。
【課題を解決するための手段】
【０００４】
前記従来の課題を解決するために、本発明の給湯機は、浴槽の沸き上げ温度を設定する沸上湯温設定手段と、浴槽に設けられて配管が接続される風呂アダプターと、風呂アダプター内に浴槽内の湯温を検出する湯温センサとを備え、湯温センサで検出された温度と沸上温度設定手段で設定された温度とに応じて浴槽への給湯を制御するものである。
【０００５】
これにより、循環パイプのもどり管の冷却の影響や風呂アダプター内でのショートサーキットの影響を受けることがなく、浴槽内の湯温を正確に検知できるので、沸上温度設定手段で設定した湯温に浴槽内の湯温を制御できるものである。
【発明の効果】
【０００６】
本発明の給湯機は、循環パイプのもどり管の冷却の影響や風呂アダプター内でのショートサーキットの影響を受けることがなく、浴槽内の湯温を正確に検知できるので、沸上温度設定手段で設定した湯温に浴槽内の湯温を制御できるものである。
【発明を実施するための最良の形態】
【０００７】
第１の発明は、浴槽の沸き上げ温度を設定する沸上温度設定手段と、浴槽に設けられて配管が接続される風呂アダプターと、風呂アダプター内に浴槽内の湯温を検出する湯温センサとを備え、湯温センサで検出された温度と沸上湯温設定手段で設定された温度とに応じて浴槽への給湯を制御する給湯機である。
【０００８】
これによって、循環パイプのもどり管の冷却の影響や風呂アダプター内でのショートサーキットの影響を受けることがなく、浴槽内の湯温を正確に検知できるので、沸上温度設定手段で設定した湯温に浴槽内の湯温を制御できるものである。
【０００９】
第２の発明は、特に、第１の発明において、湯温センサで検出された温度が沸上温度設定手段で設定された温度より高いとき、浴槽の湯温を上げないように制御するものであり、浴槽内の湯温の上がりすぎを防止できる。
【００１０】
第３の発明は、特に、第１の発明において、湯温センサで検出された温度が沸上温度設定手段で設定された温度より低いとき、浴槽への湯温を高めるように制御するものであり、浴槽内の湯温を沸上温度設定手段で設定された温度にまで上げることができる。
【００１１】
第４の発明は、特に、第１から第３のいずれか１つの発明において、湯温センサの信号を送信する無線発信機を風呂アダプター内に備えるものである。
【００１２】
これによって、湯温センサーからの信号線が廃止できるので、湯温センサーと無線発信機を密閉状態にできるので、外部からの湿気の進入などによる影響をなくせるので、信頼性の高い給湯機が提供できると共に風呂アダプターと給湯機を接続する電気信号線をなくせるので、設置工事が容易になる。
【００１３】
第５の発明は、特に、第１から第４のいずれか１つの発明において、風呂アダプターは浴槽内側方向から着脱可能な構成としたものであり、湯温センサーと無線発信機を容易にメンテナンスできるものである。
【００１４】
以下、本発明の実施の形態について、図面を参照しながら説明する。なお、この実施の形態によって本発明が限定されるものではない。
【００１５】
図１は、本発明の実施の形態における給湯機の図を示すものである。
【００１６】
図１において、浴槽１と給湯機２は循環パイプの行き管３によって接続されており、給湯機２で沸かした湯水を浴槽１に供給して浴槽水を温める。また、浴槽水の一部は浴槽１と給湯機２を接続する循環パイプの戻り管４によって給湯機２に供給され、給湯機２によって高温水にされた後、再び循環パイプの行き管３を通して浴槽１に戻される。このようにして浴槽水の加熱を行う。
【００１７】
また、浴槽１の循環パイプの行き管３及び循環パイプの戻り管４の接続口には風呂アダプター５が設けられている。風呂アダプター５内には、湯温センサー６、無線発信機７が内蔵されている。例えばサーミスタ等の湯温センサー６によって浴槽水の温度を測った後、その測定値を無線発信機７によって給湯機２内に備えられた受信機８に送信する。
【００１８】
給湯機２内に備えられた受信機８は、同じく給湯機２内に備えられた制御装置９と接続されており、受信機８により受信された測定値は制御装置９へ送られる。制御装置９は給湯機２の沸かし温度を制御するものであり、受信した測定値に基づいて浴槽１への沸かし温度を制御する。
【００１９】
以上のように構成された給湯機について、以下その動作、作用を説明する。
【００２０】
まず、給湯機２でつくられた高温のお湯が循環パイプの行き管３から風呂アダプター５を通って浴槽１内に送られる。これによって浴槽１内のお湯が加熱される。浴槽１内の湯温は常に湯温センサー６で検知され、湯温センサー６で測定された値の信号が無線発信機７で発信され、その信号が受信機８で受信され、制御装置９に送られる。
【００２１】
そして制御装置９は、沸上温度設定手段として沸かし温度を設定できるリモコンで設定された湯温と湯温センサー６で検知した湯温を比較し給湯機２を制御する。
【００２２】
図２は、制御装置９の制御フローを示すものである。図２において、ステップ１では湯温センサー６により浴槽１内の湯温を検知する。そして、ステップ２で、その信号を無線発信機７で送信する。ステップ３では無線発信機７の信号を受信機８で受信する。ステップ４では受信した信号を制御部に伝達する。そして、ステップ５では制御装置９により温度設定可能なリモコンで設定した設定した温度と湯温センサー６で検知した温度を比較する。もし、検知した温度が設定温度より高いときはステップ５に示すように浴槽１の湯温を上げないように、給湯機２を停止する。また、検知した温度が設定温度より低いときはステップ７に示すように浴槽１の温度を高くするように給湯機２を作動させる。
【産業上の利用可能性】
【００２３】
以上のように、本発明にかかる給湯機は、浴槽と給湯機を接続する風呂循環パイプの保温状態、および浴槽内の風呂アダプターの状態や浴槽内の状態でおこるショートサーキットによって生じる浴槽内の湯温が沸上温度設定手段で設定した温度と異なるという不具合を防止できる。
【図面の簡単な説明】
【００２４】
【図１】本発明の給湯機と浴槽と風呂アダプターと循環パイプのシステム図
【図２】本発明の制御処理手順を説明するフロー図
【図３】従来の給湯システムの構成図
【符号の説明】
【００２５】
１  浴槽
２  給湯機
３  循環パイプの行き管
４  循環パイプの戻り管
５  風呂アダプター
６  湯温センサー
７  無線発信機
８  受信機
９  制御装置
【図１】
2006300471.tif 000003
【図２】
2006300471.tif 000004
【図３】
2006300471.tif 000005